(57)【特許請求の範囲】
【請求項１】
１８０°より小さい角度で正逆回転される出力軸を有するワイパモータと、
前記出力軸に一体回動可能に固定されたクランクアームと、
前記クランクアームの前記出力軸との固定部を挟んだ両側にそれぞれ回動可能に連結され、前記クランクアームの正回転及び逆回転に伴い往復移動される一対の連結ロッドと、
前記一対の連結ロッドの一方と一対のワイパアームの一方との間に設けられ、前記一方の連結ロッドの往復移動に伴って前記一方のワイパアームを車体に対し往復回動させる第一レバー手段と、
前記一対の連結ロッドの他方と一対のワイパアームの他方との間に設けられ、前記他方の連結ロッドの往復移動に伴って前記他方のワイパアームを車体に対し往復回動させる第二レバー手段と、
を備え、
前記一方の連結ロッド及び前記クランクアームの連結点が、前記ワイパモータによる前記クランクアームの往復回動範囲において、前記一方の連結ロッド及び前記第一レバー手段の連結点と前記出力軸とを通る第一仮想直線を横切らないように設定され、及び／又は、前記他方の連結ロッド及び前記クランクアームの連結点が、前記ワイパモータによる前記クランクアームの往復回動範囲において、前記他方の連結ロッド及び前記第二レバー手段の連結点と前記出力軸とを通る第二仮想直線を横切らないように設定されている車両用ワイパ装置。
【請求項２】
前記第一レバー手段は、
車体に対し回動可能に支持され、前記一方のワイパアームが一体回動可能に固定されるピボット軸と、
前記ピボット軸に一体回動可能に固定されると共に、前記ピボット軸に対し、前記ピボット軸の軸方向視における前記一対の連結ロッドの往復移動方向と直交方向の一方側に配置され、前記一方の連結ロッドに回動可能に連結されたピボットレバーと、
を有し、
前記第二レバー手段は、
第一回動軸によって車体に対して回動可能に支持されると共に、前記第一回動軸に対し前記直交方向の一方側に配置され、前記他方の連結ロッドと回動可能に連結されたメインレバーと、
前記第一回動軸と離間配置された第二回動軸によって車体に対し回動可能に支持されると共に、前記第二回動軸に対し前記直交方向の一方側に配置されたサブレバーと、
離間した二箇所の位置で前記メインレバーの回動端側と前記サブレバーの回動端側とに回動可能に連結され、前記他方のワイパアームが接続される連結レバーと、
を有する、
請求項１に記載の車両用ワイパ装置。
【請求項３】
前記メインレバーは、
前記他方の連結ロッドに回動可能に連結された第一レバー部と、
前記連結レバーに回動可能に連結されると共に前記第一レバー部に対し前記第一回動軸の軸方向にずれて配置された第二レバー部と、
を有する、
請求項２に記載の車両用ワイパ装置。
【請求項４】
前記連結レバーは、
前記メインレバー及び前記サブレバーと連結されたレバー本体部と、
前記レバー本体部から延設され、前記他方のワイパアームが一体回動可能に固定される延設部と、
を有する、
請求項２又は請求項３に記載の車両用ワイパ装置。
【請求項５】
前記一対の連結ロッドは、前記クランクアームに対する前記出力軸の軸方向一方側で前記クランクアームと連結されると共に、少なくとも一方に前記クランクアームの正回転及び逆回転に伴う互いの干渉を防止するための曲部を有し、
前記曲部は、前記出力軸の軸方向と直交する方向に曲がった構成とされている、
請求項１〜請求項４のいずれか一項に記載の車両用ワイパ装置。
【請求項６】
前記クランクアームは、前記一対の連結ロッドとの連結部のうち少なくとも一方が前記出力軸との固定部に対し前記出力軸の軸方向にずれた構成とされている、
請求項１〜請求項５のいずれか一項に記載の車両用ワイパ装置。
【請求項７】
前記ワイパモータを支持するフレーム部材を備え、
前記出力軸は、前記フレーム部材を貫通し、
前記ワイパモータ及び前記クランクアームは、前記フレーム部材に対し前記出力軸の軸方向の互いに異なる側に配置されている、
請求項１〜請求項６のいずれか一項に記載の車両用ワイパ装置。
【請求項８】
前記第一レバー手段は、
車体に対し回動可能に支持され、前記一方のワイパアームが一体回動可能に固定されるピボット軸と、
前記ピボット軸に一体回動可能に固定されると共に、前記ピボット軸に対し、前記ピボット軸の軸方向視における前記一対の連結ロッドの往復移動方向と直交方向の一方側に配置され、前記一方の連結ロッドに回動可能に連結されたピボットレバーと、
を有し、
前記フレーム部材は、前記ワイパモータを支持するフレーム本体部と、前記ピボット軸を回動可能に支持するピボットホルダとが一体に形成された構成とされている、
請求項７に記載の車両用ワイパ装置。
【請求項９】
前記第一レバー手段は、
車体に対し回動可能に支持され、前記一方のワイパアームが一体回動可能に固定される第一ピボット軸と、
前記第一ピボット軸に一体回動可能に固定されると共に、前記第一ピボット軸に対し、前記第一ピボット軸の軸方向視における前記一対の連結ロッドの往復移動方向と直交方向の一方側に配置され、前記一方の連結ロッドに回動可能に連結された第一ピボットレバーと、
を有し、
前記第二レバー手段は、
車体に対し回動可能に支持され、前記他方のワイパアームが一体回動可能に固定される第二ピボット軸と、
前記第二ピボット軸に一体回動可能に固定されると共に、前記第二ピボット軸に対し前記直交方向の一方側に配置され、前記他方の連結ロッドに回動可能に連結された第二ピボットレバーと、
を有する、
請求項１に記載の車両用ワイパ装置。
【発明の詳細な説明】
【技術分野】
【０００１】
本発明は、車両のフロントウィンドウ等を払拭する車両用ワイパ装置に関する。
【背景技術】
【０００２】
従来、車両用ワイパ装置としては、例えば、次のものがある（例えば、特許文献１、特許文献２参照）。例えば、特許文献１に記載の対向払拭型ワイパ装置では、モータの出力軸に、クランクアームが連結されており、このクランクアームには、連結ロッドを介して中間リンクが連結されている。中間リンクは、その長手方向中間部が支点とされており、その長手方向両端側に一対の駆動ロッドが連結されている。各駆動ロッドには、駆動レバーが連結されており、各駆動レバーには、ワイパアームが固定されている。
【０００３】
そして、モータの出力軸が一方向に連続回転されて、この回転力がクランクアーム及び連結ロッドを介して中間リンクに伝達されて中間リンクが往復回動され、この中間リンクの往復回動に伴い一対の駆動ロッドが往復移動され、各駆動レバーと共にワイパアームがそれぞれ往復回動される。
【０００４】
また、特許文献２に記載の車両用ワイパ装置では、ワイパモータの出力軸に、クランクアームが連結されており、このクランクアームには、リンクを介してピボットレバーが連結されている。ピボットレバーには、ピボット軸が設けられており、このピボット軸には、一方のワイパアームが固定されている。また、ピボットレバーには、リンクを介して４節リンクが連結されており、この４節リンクには、他方のワイパアームが固定されている。
【０００５】
そして、ワイパモータの出力軸が一方向に連続回転されて、この回転力がクランクアーム及びリンクを介してピボットレバー及び４節リンクに伝達されてピボットレバー及び４節リンクの各レバーが往復回動され、このピボットレバー及び４節リンクの各レバーの往復回動に伴いワイパアームがそれぞれ往復回動される。
【特許文献１】実開平７−５９９９号公報（図２）
【特許文献２】特開２００５−８２０２７号公報（図１）
【発明の開示】
【発明が解決しようとする課題】
【０００６】
しかしながら、上記特許文献１に記載の対向払拭型ワイパ装置では、両ワイパアームを互いに反対方向に回動させるために中間リンクを必要とし、その中間リンクを往復回動させるためには、モータと中間リンクとの間にクランクアームと連結ロッドが必要となる。従って、部品点数を減らしてコストを低減するためには改善の余地がある。
【０００７】
また、特許文献２に記載の車両用ワイパ装置では、一対のワイパアームの一方側に４節リンクが設けられている。このため、この一対のワイパアームの払拭方向を同じとするためには、一方のワイパアーム側の４節リンクを構成するメインレバーと他方のワイパアーム側のピボットレバーとを互いに反対方向に回動させる必要があると共に、この４節リンクを構成するメインレバー及びサブレバーとピボットレバーとを装置奥行き方向の逆向きに配置（前後逆にしてレイアウト）する必要がある。つまり、４節リンクを構成するメインレバー及びサブレバーは、ピボット軸に対し車両搭載時における後側に配置されており、他方のワイパアーム側のピボットレバーは、ピボット軸に対し車両搭載時における前側に配置されている。ところが、この場合、ピボットレバー及び４節リンクを合わせた装置全体の装置奥行き方向（車載搭載時における車両前後方向）の寸法が大きくなる。従って、装置全体を装置奥行き方向に小型化するためには改善の余地がある。
【０００８】
本発明は、上記事情に鑑みてなされたものであって、その目的は、部品点数を減らしてコストを低減できる車両用ワイパ装置を提供することにある。
【０００９】
また、本発明の他の目的は、装置全体を小型化できる車両用ワイパ装置を提供することにある。
【課題を解決するための手段】
【００１３】
前記課題を解決するために、請求項１に記載の車両用ワイパ装置は、１８０°より小さい角度で正逆回転される出力軸を有するワイパモータと、前記出力軸に一体回動可能に固定されたクランクアームと、前記クランクアームの前記出力軸との固定部を挟んだ両側にそれぞれ回動可能に連結され、前記クランクアームの正回転及び逆回転に伴い往復移動される一対の連結ロッドと、前記一対の連結ロッドの一方と一対のワイパアームの一方との間に設けられ、前記一方の連結ロッドの往復移動に伴って前記一方のワイパアームを車体に対し往復回動させる第一レバー手段と、前記一対の連結ロッドの他方と一対のワイパアームの他方との間に設けられ、前記他方の連結ロッドの往復移動に伴って前記他方のワイパアームを車体に対し往復回動させる第二レバー手段と、を備え、前記一方の連結ロッド及び前記クランクアームの連結点が、前記ワイパモータによる前記クランクアームの往復回動範囲において、前記一方の連結ロッド及び前記第一レバー手段の連結点と前記出力軸とを通る第一仮想直線を横切らないように設定され、及び／又は、前記他方の連結ロッド及び前記クランクアームの連結点が、前記ワイパモータによる前記クランクアームの往復回動範囲において、前記他方の連結ロッド及び前記第二レバー手段の連結点と前記出力軸とを通る第二仮想直線を横切らないように設定されている構成である。
【００１４】
請求項１に記載の車両用ワイパ装置では、ワイパモータの出力軸が正回転及び逆回転される。そして、これに伴い、クランクアームが正回転及び逆回転され、一対の連結ロッドは、出力軸を挟んで径方向両側でそのクランクアームに連結されているので、それぞれ互いに反対方向に往復移動（互いに反対方向に往復揺動）される。また、一対の連結ロッドがそれぞれ往復移動されると、第一レバー手段及び第二レバー手段がそれぞれ作動し、一対のワイパアームが往復回動される。そして、この一対のワイパアームの往復回動によって払拭面を払拭できる。
【００１５】
ここで、請求項１に記載の車両用ワイパ装置では、正逆回転される出力軸を有するワイパモータが用いられ、このワイパモータの出力軸とクランクアームが直接的に固定されることで、クランクアームを正回転及び逆回転させることが可能となっている。従って、クランクアームを１８０°よりも小さな角度の所定の回動範囲で往復回動させることで、簡単な構成にて一対の連結ロッドをそれぞれ互いに反対方向に往復移動させることができる。そのため、ワイパモータとクランクアームとの間に中間リンクや他の連結ロッド等が不要である。これにより、部品点数を減らしてコストを低減することができる。
【００１６】
ところで、例えば、一方の連結ロッド及びクランクアームの連結点が、ワイパモータによるクランクアームの往復回動範囲において、一方の連結ロッド及び第一レバー手段の連結点と出力軸とを通る第一仮想直線を横切るように設定された場合、次の不具合がある。
【００１７】
すなわち、例えば、クランクアームが正回転する場合に、一方の連結ロッド及びクランクアームの連結点が上述の第一仮想直線を通過する前と後とで一方の連結ロッドの移動方向が反対になり、一方の連結ロッドが振動することになる。そして、この場合には、この一方の連結ロッドの振動が第一レバー手段を介して一方のワイパアームに伝達され、この一方のワイパアームが振動することになる。このことは、クランクアームが逆回転する場合についても同様である。またさらに、これらのことは、他方の連結ロッド、第二レバー手段、他方のワイパアームについても同様である。
【００１８】
この点、請求項１に記載の車両用ワイパ装置では、一方の連結ロッド及びクランクアームの連結点が、ワイパモータによるクランクアームの１８０°よりも小さな角度の往復回動範囲において、一方の連結ロッド及び前記第一レバー手段の連結点と出力軸とを通る第一仮想直線を横切らないように設定され、及び／又は、他方の連結ロッド及びクランクアームの連結点が、ワイパモータによるクランクアームの往復回動範囲において、他方の連結ロッド及び第二レバー手段の連結点と出力軸とを通る第二仮想直線を横切らないように設定されている。
【００１９】
従って、例えば、一方の連結ロッド及びクランクアームの連結点が、ワイパモータによるクランクアームの往復回動範囲において、上述の第一仮想直線を横切らないように設定された場合、クランクアームが正回転するときには、一方の連結ロッドの移動方向を一定の方向に維持できるので、一方の連結ロッドが振動すること、ひいては、一方のワイパアームが振動することを抑制することができる。また同様に、クランクアームが逆回転するときにも、一方の連結ロッドの移動方向を一定の方向（上述のクランクアームが正回転するときの方向と反対方向）に維持できるので、一方の連結ロッドが振動すること、ひいては、一方のワイパアームが振動することを抑制することができる。
【００２０】
また、例えば、他方の連結ロッド及びクランクアームの連結点が、ワイパモータによるクランクアームの往復回動範囲において、上述の第二仮想直線を横切らないように設定された場合、クランクアームが正回転するときには、他方の連結ロッドの移動方向を一定の方向に維持できるので、他方の連結ロッドが振動すること、ひいては、他方のワイパアームが振動することを抑制することができる。また同様に、クランクアームが逆回転するときにも、他方の連結ロッドの移動方向を一定の方向（上述のクランクアームが正回転するときの方向と反対方向）に維持できるので、他方の連結ロッドが振動すること、ひいては、他方のワイパアームが振動することを抑制することができる。
【００２１】
なお、一方の連結ロッド及びクランクアームの連結点が、ワイパモータによるクランクアームの往復回動範囲において、上述の第一仮想直線を横切らないように設定され、及び、他方の連結ロッド及びクランクアームの連結点が、ワイパモータによるクランクアームの往復回動範囲において、上述の第二仮想直線を横切らないように設定されていると、一方のワイパアーム及び他方のワイパアームの振動を抑制することができるのでより好適である。
【００２２】
請求項２に記載の車両用ワイパ装置は、請求項１に記載の車両用ワイパ装置において、前記第一レバー手段が、車体に対し回動可能に支持され、前記一方のワイパアームが一体回動可能に固定されるピボット軸と、前記ピボット軸に一体回動可能に固定されると共に、前記ピボット軸に対し、前記ピボット軸の軸方向視における前記一対の連結ロッドの往復移動方向と直交方向の一方側に配置され、前記一方の連結ロッドに回動可能に連結されたピボットレバーと、を有し、前記第二レバー手段が、第一回動軸によって車体に対して回動可能に支持されると共に、前記第一回動軸に対し前記直交方向の一方側に配置され、前記他方の連結ロッドと回動可能に連結されたメインレバーと、前記第一回動軸と離間配置された第二回動軸によって車体に対し回動可能に支持されると共に、前記第二回動軸に対し前記直交方向の一方側に配置されたサブレバーと、離間した二箇所の位置で前記メインレバーの回動端側と前記サブレバーの回動端側とに回動可能に連結され、前記他方のワイパアームが接続される連結レバーと、を有する構成である。
【００２３】
請求項２に記載の車両用ワイパ装置では、クランクアームの正回転及び逆回転に伴って一対の連結ロッドがそれぞれ互いに反対方向に往復移動されると、ピボットレバーとメインレバーとが互いに反対方向に往復回動される。
【００２４】
つまり、クランクアームの出力軸との固定部を挟んだ両側にそれぞれ回動可能に連結された一対の連結ロッドは、クランクアームの正回転及び逆回転に伴って互いに反対方向に往復移動される。従って、この一対の連結ロッドに連結されると共に、いずれもピボット軸及び第一回動軸に対し、ピボット軸の軸方向視における一対の連結ロッドの往復移動方向と直交方向（つまり、換言すれば、装置奥行き方向であり、以後、装置奥行き方向と称する）の一方側に配置されたピボットレバーとメインレバーも、互いに反対方向に往復回動される。
【００２５】
ここで、他方のワイパアームを往復回動させるためのメインレバー、サブレバー及び連結レバーは、所謂、４節リンクを構成するので、上述の如く、メインレバーが一方のワイパアームを往復回動させるためのピボットレバーと互いに反対方向に往復回動されることで、一対のワイパアームを同じ払拭方向に往復回動させることができる。
【００２６】
また、一方のワイパアームを往復回動させるためのピボットレバーと、他方のワイパアームを往復回動させるためのメインレバー及びサブレバーとは、いずれもピボット軸、第一回動軸、第二回動軸に対し装置奥行き方向一方側に配置されている。従って、装置全体の装置奥行き方向の寸法を小さくでき、装置全体を小型化することができる。
【００２７】
このように、請求項２に記載の車両用ワイパ装置によれば、他方のワイパアームを往復回動させるために４節リンクを用いた場合でも、クランクアームを正回転及び逆回転させることで、ピボットレバーとメインレバー及びサブレバーとを装置奥行き方向の逆向きに配置させる必要が無く、これらをいずれもピボット軸、第一回動軸、第二回動軸に対し装置奥行き方向一方側に配置した構成とすることができる。これにより、装置全体を小型化することができる。
【００２８】
請求項３に記載の車両用ワイパ装置は、請求項２に記載の車両用ワイパ装置において、前記メインレバーが、前記他方の連結ロッドに回動可能に連結された第一レバー部と、前記連結レバーに回動可能に連結されると共に前記第一レバー部に対し前記第一回動軸の軸方向にずれて配置された第二レバー部と、を有する構成である。
【００２９】
請求項３に記載の車両用ワイパ装置によれば、メインレバーは、他方の連結ロッドに回動可能に連結された第一レバー部と、連結レバーに回動可能に連結された第二レバー部とを有し、第二レバー部は、第一レバー部に対し第一回動軸の軸方向にずれて配置されている。従って、クランクアームの正回転及び逆回転に伴いメインレバーが往復回動された場合でも、例えば、第一レバー部に連結された他方の連結ロッドと、第二レバー部に連結レバーを介して連結されたサブレバーとの干渉を防止できる。
【００３０】
請求項４に記載の車両用ワイパ装置は、請求項２又は請求項３に記載の車両用ワイパ装置において、前記連結レバーは、前記メインレバー及び前記サブレバーと連結されたレバー本体部と、前記レバー本体部から延設され、前記他方のワイパアームが一体回動可能に固定される延設部と、を有することを特徴とする。
【００３１】
請求項４に記載の車両用ワイパ装置によれば、４節リンクを構成する連結レバーでは、メインレバー及びサブレバーと連結されたレバー本体部から延設部が延設されており、この延設部に他方のワイパアームが一体回動可能に固定されるようになっている。
【００３２】
ここで、例えば、車両仕様の変更により他方のワイパアームの払拭範囲を変更する場合には、延設部の長さや角度等を変えるだけで良く、メインレバー及びサブレバーを変更する必要が無い（つまり、連結レバーを変更するだけで良い）。また、車両仕様の変更により他方のワイパアーム自体を変更する場合には、ワイパアーム自体を変更すれば良く、メインレバー、サブレバー、連結レバーを変更する必要が無い。これにより、構成部材の変更を必要最小限に抑えつつ、他方のワイパアームの払拭範囲及びワイパアーム自体を車両仕様の変更に応じて容易に変更することができる。
【００３３】
請求項５に記載の車両用ワイパ装置は、請求項１〜請求項４のいずれか一項に記載の車両用ワイパ装置において、前記一対の連結ロッドが、前記クランクアームに対する前記出力軸の軸方向一方側で前記クランクアームと連結されると共に、少なくとも一方に前記クランクアームの正回転及び逆回転に伴う互いの干渉を防止するための曲部を有し、前記曲部が、前記出力軸の軸方向と直交する方向に曲がっている構成である。
【００３４】
請求項５に記載の車両用ワイパ装置によれば、一対の連結ロッドは、クランクアームに対する出力軸の軸方向一方側でクランクアームと連結されており、この一対の連結ロッドの少なくとも一方には、クランクアームの正回転及び逆回転に伴う互いの干渉を防止するための曲部が形成されている。従って、クランクアームの正回転及び逆回転に伴って一対の連結ロッドが往復移動される場合でも、クランクアームの正回転及び逆回転に伴う一対の連結ロッドの互いの干渉を防止できる。
【００３５】
しかも、この曲部は、出力軸の軸方向と直交する方向に曲がった構成とされている。従って、一対の連結ロッドの干渉を防止するために、例えば、一対の連結ロッドが出力軸の軸方向に重ねて配置された場合や、曲部が出力軸の軸方向に曲がった構成とされた場合に比して、出力軸の軸方向についても装置全体を小型化することができる。
【００３６】
さらに、一対の連結ロッドの少なくとも一方に曲部を形成することで、この曲部によりオフセットされた分、他の部材等のための配置スペースを確保することができる。
【００３７】
請求項６に記載の車両用ワイパ装置は、請求項１〜請求項５のいずれか一項に記載の車両用ワイパ装置において、前記クランクアームの前記一対の連結ロッドとの連結部のうち少なくとも一方が前記出力軸との固定部に対し前記出力軸の軸方向にずれている構成である。
【００３８】
請求項６に記載の車両用ワイパ装置によれば、クランクアームは、一対の連結ロッドとの連結部のうち少なくとも一方が出力軸との固定部に対し出力軸の軸方向にずれた構成とされている。従って、例えば、クランクアームから出力軸の先端が突出された構成において、クランクアームの正回転及び逆回転に伴って一対の連結ロッドが往復移動される場合でも、一対の連結ロッドの少なくとも一方とワイパモータの出力軸との干渉を防止できる。
【００３９】
請求項７に記載の車両用ワイパ装置は、請求項１〜請求項６のいずれか一項に記載の車両用ワイパ装置において、前記ワイパモータを支持するフレーム部材を備え、前記出力軸が、前記フレーム部材を貫通し、前記ワイパモータ及び前記クランクアームが、前記フレーム部材に対し前記出力軸の軸方向の互いに異なる側に配置された構成である。
【００４０】
請求項７に記載の車両用ワイパ装置によれば、ワイパモータの出力軸は、ワイパモータを支持するフレーム部材を貫通し、ワイパモータ及びクランクアームは、フレーム部材に対し出力軸の軸方向の互いに異なる側に配置されている。従って、出力軸の正回転及び逆回転に伴ってクランクアームが正回転及び逆回転される場合でも、クランクアームとワイパモータとの干渉を防止できる。
【００４１】
請求項８に記載の車両用ワイパ装置は、請求項７に記載の車両用ワイパ装置において、前記第一レバー手段が、車体に対し回動可能に支持され、前記一方のワイパアームが一体回動可能に固定されるピボット軸と、前記ピボット軸に一体回動可能に固定されると共に、前記ピボット軸に対し、前記ピボット軸の軸方向視における前記一対の連結ロッドの往復移動方向と直交方向の一方側に配置され、前記一方の連結ロッドに回動可能に連結されたピボットレバーと、を有し、前記フレーム部材が、前記ワイパモータを支持するフレーム本体部と、前記ピボット軸を回動可能に支持するピボットホルダとが一体に形成された構成とされたものである。
【００４２】
請求項８に記載の車両用ワイパ装置によれば、フレーム部材は、ワイパモータを支持するフレーム本体部と、第一レバー手段のピボット軸を回動可能に支持するピボットホルダとが一体に形成された構成とされているので、部品点数を削減できるだけでなく、ワイパモータの出力軸とピボット軸とを精度良く配置でき、しかも、ワイパモータの搭載を容易にできる。
【００４３】
請求項９に記載の車両用ワイパ装置は、請求項１に記載の車両用ワイパ装置において、前記第一レバー手段が、車体に対し回動可能に支持され、前記一方のワイパアームが一体回動可能に固定される第一ピボット軸と、前記第一ピボット軸に一体回動可能に固定されると共に、前記第一ピボット軸に対し、前記第一ピボット軸の軸方向視における前記一対の連結ロッドの往復移動方向と直交方向の一方側に配置され、前記一方の連結ロッドに回動可能に連結された第一ピボットレバーと、を有し、前記第二レバー手段が、車体に対し回動可能に支持され、前記他方のワイパアームが一体回動可能に固定される第二ピボット軸と、前記第二ピボット軸に一体回動可能に固定されると共に、前記第二ピボット軸に対し前記直交方向の一方側に配置され、前記他方の連結ロッドに回動可能に連結された第二ピボットレバーと、を有する構成である。
【００４４】
請求項９に記載の車両用ワイパ装置では、クランクアームの正回転及び逆回転に伴って一対の連結ロッドがそれぞれ互いに反対方向に往復移動されると、第一ピボットレバーと第二ピボットレバーとが互いに反対方向に往復回動される。そして、この第一ピボットレバー及び第二ピボットレバーの互いに反対方向への往復回動に伴い、一対のワイパアームをそれぞれ互いに反対方向へ往復回動させることができる。
【００４５】
このように、請求項９に記載の車両用ワイパ装置によれば、簡単な構成で対向式ワイパを構成することができる。
【発明を実施するための最良の形態】
【００４６】
以下、図面に基づき、本発明の車両用ワイパ装置の一実施形態について説明する。
【００４７】
図１乃至図３には、本発明の一実施形態に係る車両用ワイパ装置１０が示されている。なお、図１，図２は、車両用ワイパ装置１０を車両搭載時における車両前方上方から見た斜視図であり、図３は、車両用ワイパ装置１０を車両搭載時における車両後方下方から見た斜視図である。また、図１，図３では、一対のワイパアーム３８，８２が下反転位置にあるときの車両用ワイパ装置１０が示されており、図２では、一対のワイパアーム３８，８２が上反転位置にあるときの車両用ワイパ装置１０が示されている。
【００４８】
これらの図に示される車両用ワイパ装置１０は、例えば、車両のフロントウィンドウを払拭するためにフロントウィンドウの下縁側に搭載されるものであり、ワイパモータ１２を備えている。ワイパモータ１２は、例えば、減速機構付きモータ等により構成されており、１８０°よりも小さな角度で正逆回転される出力軸１４を有している。このワイパモータ１２は、この車両用ワイパ装置１０の車両搭載時における運転席側（Ｄｒ側）に配置された第一フレーム部材１６に固定具１８により一体的に固定されている。
【００４９】
出力軸１４は、第一フレーム部材１６に貫通形成された貫通孔２０に挿入されている。そして、この出力軸１４の先端部には、長手状に構成されたクランクアーム２２の長手方向中央部２２Ａが一体回動可能に固定されている。このクランクアーム２２は、第一フレーム部材１６に対し、出力軸１４の軸方向におけるワイパモータ１２と反対側（互いに異なる側）に配置されている。
【００５０】
また、クランクアーム２２は、その長手方向中央部２２Ａ（固定部）に対し長手方向一端側２２Ｂ（連結部）が出力軸１４の軸方向一方側（すなわち車両搭載時における上側）にずれた構成とされている。そして、このクランクアーム２２には、その長手方向一端側２２Ｂに第一連結ロッド２４（本発明における一方の連結ロッドに相当）の長手方向一端側が連結軸２６を介して回動可能に連結され、その長手方向他端側２２Ｃに第二連結ロッド２８（本発明における他方の連結ロッドに相当）の長手方向一端側が連結軸３０を介して回動可能に連結されている。
【００５１】
この第一連結ロッド２４及び第二連結ロッド２８は、クランクアーム２２に対し出力軸１４の軸方向一方側（すなわち車両搭載時における上側）でクランクアーム２２と連結されている。また、第二連結ロッド２８は、その長手方向中間部にクランクアーム２２の正回転及び逆回転に伴う第一連結ロッド２４との干渉を防止するための曲部３２を有して構成されている。
【００５２】
この曲部３２は、出力軸１４の軸方向と直交する方向（矢印Ｄ２側で車両搭載時における前側）に曲がった構成とされている。つまり、曲部３２は、その頂点３２Ａが第二連結ロッド２８の長手方向両端側に位置される連結軸３０，６６に対し出力軸１４の軸方向と直交する方向（矢印Ｄ２側で車両搭載時における前側）に位置されるように曲がった構成とされている。
【００５３】
第一フレーム部材１６は、ワイパモータ１２を支持するフレーム本体部１７と、第一ピボット軸３６（本発明におけるピボット軸に相当）を回動可能に支持する第一ピボットホルダ３４（本発明におけるピボットホルダに相当）とが一体に形成された構成とされている。そして、第一ピボット軸３６には、一方（車両搭載時における運転席側（Ｄｒ側））のワイパアーム３８の基端側が一体回動可能に固定される。
【００５４】
また、この第一ピボット軸３６には、ピボットレバー４０の基端側が一体回動可能に固定されている。このピボットレバー４０は、第一ピボット軸３６に対して、第一ピボット軸３６の軸方向視における第一連結ロッド２４及び第二連結ロッド２８の往復移動方向（車載搭載時における車両幅方向）と直交方向（車載搭載時における車両前後方向であって、換言すれば、装置奥行き方向であり、以後、装置奥行き方向と称する）の一方側（矢印Ｄ１側で車両搭載時における後側）に配置されている。そして、このピボットレバー４０の回動端側には、上述の第一連結ロッド２４の長手方向他端側が連結軸４２を介して回動可能に連結されている。
【００５５】
一方、この車両用ワイパ装置１０の車両搭載時における助手席側（Ｐａ側）には、第二フレーム部材４４が配置されている。この第二フレーム部材４４は、上述の第一フレーム部材１６と連結フレーム４６を介して一体的に取り付けられている。
【００５６】
また、この第二フレーム部材４４には、所謂、４節リンク４８を構成するメインレバー５０、サブレバー５２、連結レバー５４が一体的に設けられている。つまり、第二フレーム部材４４には、第二ピボットホルダ５６が一体的に形成されており、この第二ピボットホルダ５６には、第二ピボット軸５８（本発明における第一回動軸に相当）が回動可能に支持されている。
【００５７】
メインレバー５０は、この第二ピボット軸５８に対し、装置奥行き方向一方側（矢印Ｄ１側で車両搭載時における後側）に配置されており、略平行に延在する第一レバー部６０及び第二レバー部６２と、これらを連結する連結レバー部６４とを有する平面視概略Ｕ字状に構成されている。
【００５８】
そして、第一レバー部６０の回動端側には、上述の第二連結ロッド２８の長手方向他端側が連結軸６６を介して回動可能に連結されており、第二レバー部６２の基端側は、上述の第二ピボット軸５８に一体回動可能に固定されている。この第二レバー部６２は、第一レバー部６０に対し第二ピボット軸５８の軸方向一方側（すなわち車両搭載時における上側）にずれて配置されている。
【００５９】
また、第二フレーム部材４４における第二ピボットホルダ５６に対する第一ピボット軸３６と反対側（車両搭載時における助手席側（Ｐａ側）の外側）には、従動軸ホルダ６８が一体的に形成されている。そして、この従動軸ホルダ６８には、従動軸７０（本発明における第二回動軸に相当）が回動可能に支持されている。そして、上述のサブレバー５２は、この従動軸７０に対し、装置奥行き方向一方側（矢印Ｄ１側で車両搭載時における後側）に配置されており、その基端側が従動軸７０に一体回動可能に固定されている。
【００６０】
連結レバー５４は、長手状のレバー本体部７２と、このレバー本体部７２の長手方向一端側から延設された延設部７４とを有して構成されている。レバー本体部７２の長手方向両端側は、上述の第二レバー部６２の回動端側及びサブレバー５２の回動端側とそれぞれ連結軸７６，７８を介して回動可能に連結されている。一方、延設部７４の延設端側には、連結軸８０を介して他方（車両搭載時における助手席側（Ｐａ側））のワイパアーム８２が一体に固定される。
【００６１】
そして、この上記各構成からなる車両用ワイパ装置１０は、第一フレーム部材１６及び第二フレーム部材４４にそれぞれ設けられた固定部８４，８６，８８（図１〜図３参照）を介して車両の車体に取り付けられる。
【００６２】
なお、本実施形態では、上述の第一ピボット軸３６及びピボットレバー４０によって本発明における第一レバー手段が構成されており、上述のメインレバー５０、サブレバー５２、連結レバー５４、第二ピボット軸５８、従動軸７０及び連結軸７６，７８によって本発明における第二レバー手段が構成されている。
【００６３】
また、上記車両用ワイパ装置１０は、より詳細には、次の構成とされている。
【００６４】
ここで、図４（Ａ）には、上述の車両用ワイパ装置１０が模式的に示されており、図４（Ｂ）には、図４（Ａ）の要部拡大図が示されている。また、図５（Ａ）には、上述の車両用ワイパ装置１０のクランクアーム２２から第一ピボット軸３６側（車両搭載時における運転席側（Ｄｒ側））が示されており、図５（Ｂ）には、上述の車両用ワイパ装置１０のクランクアーム２２から第二ピボット軸５８側（車両搭載時における助手席側（Ｐａ側））が示されている。
【００６５】
図４（Ａ），図４（Ｂ）に示されるように、出力軸１４は、ワイパモータ１２（図１参照）によって、１８０°より小さい角度（この場合、角度θ（θ１＝θ２））で正逆回転される。
【００６６】
また、図５（Ａ）に示されるように、第一連結ロッド２４及びクランクアーム２２の連結点である連結軸２６は、上述のワイパモータ１２によるクランクアーム２２の往復回動範囲（つまり、連結軸２６が一方の反転位置Ａ１と他方の反転位置Ｂ１との間を１８０°よりも小さな角度θ１で往復移動する範囲Ａｒ１）において、第一連結ロッド２４及びピボットレバー４０の連結点である連結軸４２と出力軸１４とを通る第一仮想直線Ｌ１を横切らないように設定されている。
【００６７】
同様に、図５（Ｂ）に示されるように、第二連結ロッド２８及びクランクアーム２２の連結点である連結軸３０は、上述のワイパモータ１２によるクランクアーム２２の往復回動範囲（つまり、連結軸３０が一方の反転位置Ａ２と他方の反転位置Ｂ２との間を１８０°よりも小さな角度θ２で往復移動する範囲Ａｒ２（Ａｒ２＝Ａｒ１））において、第二連結ロッド２８及びメインレバー５０（第一レバー部６０）の連結点である連結軸６６と出力軸１４とを通る第二仮想直線Ｌ２を横切らないように設定されている。
【００６８】
そして、上記構成からなる車両用ワイパ装置１０によれば、以下の特有な効果を奏する。以下、本発明の一実施形態に係る車両用ワイパ装置１０の動作と併せてその効果について説明する。
【００６９】
すなわち、図１，図２に示されるように、本発明の一実施形態に係る車両用ワイパ装置１０では、ワイパモータ１２の出力軸１４が矢印Ｒ１方向に正回転及び矢印Ｒ２方向に逆回転される。そして、これに伴い、クランクアーム２２が正回転及び逆回転され、第一連結ロッド２４及び第二連結ロッド２８は、出力軸１４を挟んで径方向両側でそのクランクアーム２２に連結されているので、それぞれ互いに反対方向に往復移動（第一ピボット軸３６及び第二ピボット軸５８を結ぶ方向であって車両搭載時における車両幅方向に沿って互いに反対方向に往復移動）される。また、第一連結ロッド２４及び第二連結ロッド２８がそれぞれ互いに反対方向に往復移動されると、ピボットレバー４０とメインレバー５０とが互いに反対方向に往復回動される。
【００７０】
すなわち、クランクアーム２２の長手方向両端側にそれぞれ回動可能に連結された第一連結ロッド２４及び第二連結ロッド２８は、クランクアーム２２の正回転及び逆回転に伴って互いに反対方向に往復移動される。従って、この第一連結ロッド２４及び第二連結ロッド２８に連結されると共にいずれも装置奥行き方向一方側（矢印Ｄ１側で車両搭載時における後側）に配置されたピボットレバー４０とメインレバー５０も、互いに反対方向に往復回動される。つまり、例えば、ピボットレバー４０が一方側（矢印Ｒ３側）へ回動されるときには、メインレバー５０が他方側（矢印Ｒ４側）へ回動され、ピボットレバー４０が他方側（矢印Ｒ５側）へ回動されるときには、メインレバー５０が一方側（矢印Ｒ６側）へ回動される。
【００７１】
ここで、他方のワイパアーム８２を往復回動させるためのメインレバー５０、サブレバー５２及び連結レバー５４は、所謂、４節リンク４８を構成するので、上述の如く、メインレバー５０が一方のワイパアーム３８を往復回動させるためのピボットレバー４０と互いに反対方向に往復回動されることで、一対のワイパアーム３８，８２を同じ払拭方向に往復回動させることができる。そして、この一対のワイパアーム３８，８２の往復回動によって車両のフロントウィンドウ等を払拭できる。また、このときには、４節リンク４８の作用により、他方のワイパアーム８２の払拭範囲を拡大できる。
【００７２】
さらに、車両搭載時における助手席側（Ｐａ側）のワイパアーム８２が固定された連結軸８０を、払拭動作に伴って第一連結ロッド２４及び第二連結ロッド２８の往復移動方向（車両搭載時における車両幅方向）に往復移動させることができる。また、図１に示されるように、この連結軸８０をワイパアーム８２の下反転位置での停止時に第二ピボット軸５８に対する第一ピボット軸３６側（車両搭載時における車両幅方向内側）に位置するように設定することで、ワイパアーム８２の先端に連結された不図示のワイパブレード先端がフロントウィンドウ枠であるＡピラーに干渉することを防止できる。
【００７３】
また、一方のワイパアーム３８を往復回動させるためのピボットレバー４０と、他方のワイパアーム８２を往復回動させるためのメインレバー５０及びサブレバー５２とは、いずれも第一ピボット軸３６、第二ピボット軸５８、従動軸７０に対し装置奥行き方向一方側（矢印Ｄ１側で車両搭載時における後側）に配置されている。従って、装置全体の装置奥行き方向の寸法を小さくでき、装置全体を装置奥行き方向に小型化することができる。
【００７４】
このように、本発明の一実施形態に係る車両用ワイパ装置１０によれば、他方のワイパアーム８２を往復回動させるために４節リンク４８を用いた場合でも、クランクアーム２２を正回転及び逆回転させることで、ピボットレバー４０とメインレバー５０及びサブレバー５２とを装置奥行き方向の逆向きに配置させる必要が無く、これらをいずれも第一ピボット軸３６、第二ピボット軸５８、従動軸７０に対し装置奥行き方向一方側（矢印Ｄ１側で車両搭載時における後側）に配置した構成とすることができる。これにより、装置全体を装置奥行き方向に小型化することができる。
【００７５】
また、本発明の一実施形態に係る車両用ワイパ装置１０では、正逆回転される出力軸１４を有するワイパモータ１２が用いられ、このワイパモータ１２の出力軸１４とクランクアーム２２が直接的に固定されることで、クランクアーム２２を正回転及び逆回転させることが可能となっている。従って、クランクアーム２２を１８０°よりも小さな角度の所定の回動範囲で往復回動させることで、簡単な構成にて第一連結ロッド２４及び第二連結ロッド２８をそれぞれ互いに反対方向に往復移動させることができる。そのため、ワイパモータ１２とクランクアーム２２との間に中間リンクや他の連結ロッド等が不要である。これにより、部品点数を減らしてコストを低減することができる。
【００７６】
ところで、例えば、図５（Ａ）に示されるように、第一連結ロッド２４及びクランクアーム２２の連結点である連結軸２６の一方の反転位置がＡ１ではなくＣ１に設定され、この連結軸２６が、ワイパモータ１２によるクランクアーム２２の往復回動範囲において、第一連結ロッド２４及びピボットレバー４０の連結点である連結軸４２と出力軸１４とを通る第一仮想直線Ｌ１を横切るように設定された場合、次の不具合がある。
【００７７】
すなわち、例えば、クランクアーム２２が矢印Ｒ１方向に正回転する場合に、連結軸２６が上述の第一仮想直線Ｌ１を通過する前と後とで第一連結ロッド２４の移動方向が反対になり、第一連結ロッド２４が振動することになる。つまり、クランクアーム２２が矢印Ｒ１方向に正回転する場合に、連結軸２６が上述の第一仮想直線Ｌ１を通過する前では、第一連結ロッド２４の移動方向が矢印α１方向になり、連結軸２６が上述の第一仮想直線Ｌ１を通過した後では、第一連結ロッド２４の移動方向が矢印β１方向になる。
【００７８】
そして、この場合には、この第一連結ロッド２４の振動がピボットレバー４０及び第一ピボット軸３６を介して一方のワイパアーム３８（図１，図２参照）に伝達され、この一方のワイパアーム３８が振動することになる。このことは、クランクアーム２２が矢印Ｒ２方向に逆回転する場合についても同様である。
【００７９】
また同様に、例えば、図５（Ｂ）に示されるように、第二連結ロッド２８及びクランクアーム２２の連結点である連結軸３０の一方の反転位置がＡ２ではなくＣ２に設定され、この連結軸３０が、ワイパモータ１２によるクランクアーム２２の往復回動範囲において、第二連結ロッド２８及びメインレバー５０（第一レバー部６０）の連結点である連結軸６６と出力軸１４とを通る第二仮想直線Ｌ２を横切るように設定された場合、次の不具合がある。
【００８０】
すなわち、例えば、クランクアーム２２が矢印Ｒ１方向に正回転する場合に、連結軸３０が上述の第二仮想直線Ｌ２を通過する前と後とで第二連結ロッド２８の移動方向が反対になり、第二連結ロッド２８が振動することになる。つまり、クランクアーム２２が矢印Ｒ１方向に正回転する場合に、連結軸３０が上述の第二仮想直線Ｌ２を通過する前では、第二連結ロッド２８の移動方向が矢印α２方向になり、連結軸３０が上述の第二仮想直線Ｌ２を通過した後では、第二連結ロッド２８の移動方向が矢印β２方向になる。
【００８１】
そして、この場合には、この第二連結ロッド２８の振動が４節リンク４８を介して他方のワイパアーム８２（図１，図２参照）に伝達され、この他方のワイパアーム８２が振動することになる。このことは、クランクアーム２２が矢印Ｒ２方向に逆回転する場合についても同様である。
【００８２】
この点、本発明の一実施形態に係る車両用ワイパ装置１０によれば、連結軸２６は、上述のワイパモータ１２によるクランクアーム２２の１８０°よりも小さな角度の往復回動範囲において、上述の第一仮想直線Ｌ１を横切らないように設定されている（つまり、連結軸２６の一方の反転位置がＣ１ではなくＡ１に設定されている）。従って、クランクアーム２２が矢印Ｒ１方向に正回転するときには、第一連結ロッド２４の移動方向を一定の方向（α１方向）に維持できるので、第一連結ロッド２４が振動すること、ひいては、一方のワイパアーム３８（図１，図２参照）が振動すること（ドライバ及び搭乗者にとって目障りなワイパアーム及びブレードの挙動が発生すること）を抑制することができる。
【００８３】
また同様に、クランクアーム２２が矢印Ｒ２方向に逆回転するときにも、第一連結ロッド２４の移動方向を一定の方向（α１方向と反対方向であるβ１方向）に維持できるので、第一連結ロッド２４が振動すること、ひいては、一方のワイパアーム３８（図１，図２参照）が振動することを抑制することができる。
【００８４】
また、本発明の一実施形態に係る車両用ワイパ装置１０によれば、連結軸３０についても、上述のワイパモータ１２によるクランクアーム２２の往復回動範囲において、上述の第二仮想直線Ｌ２を横切らないように設定されている（つまり、連結軸３０の一方の反転位置がＣ２ではなくＡ２に設定されている）。従って、クランクアーム２２が矢印Ｒ１方向に正回転するときには、第二連結ロッド２８の移動方向を一定の方向（α２方向）に維持できるので、第二連結ロッド２８が振動すること、ひいては、他方のワイパアーム８２（図１，図２参照）が振動することを抑制することができる。
【００８５】
また同様に、クランクアーム２２が矢印Ｒ２方向に逆回転するときにも、第二連結ロッド２８の移動方向を一定の方向（α２方向と反対方向であるβ２方向）に維持できるので、第二連結ロッド２８が振動すること、ひいては、他方のワイパアーム８２（図１，図２参照）が振動することを抑制することができる。
【００８６】
しかも、図１，図２に示されるように、本発明の一実施形態に係る車両用ワイパ装置１０において、ワイパモータ１２の出力軸１４は、ワイパモータ１２を支持する第一フレーム部材１６を貫通し、ワイパモータ１２及びクランクアーム２２は、第一フレーム部材１６に対し出力軸１４の軸方向の互いに異なる側（すなわち車両搭載時における下側と上側）に配置されている。従って、出力軸１４の正回転及び逆回転に伴ってクランクアーム２２が正回転及び逆回転される場合でも、クランクアーム２２とワイパモータ１２との干渉を防止できる。
【００８７】
また、クランクアーム２２は、第一連結ロッド２４との連結部である長手方向一端側２２Ｂが出力軸１４との固定部である長手方向中央部２２Ａに対し出力軸１４の軸方向一方側（すなわち車両搭載時における上側）にずれた構成とされている。従って、本実施形態のように、クランクアーム２２から出力軸１４の先端が突出された構成において、クランクアーム２２の正回転及び逆回転に伴って第一連結ロッド２４及び第二連結ロッド２８が往復移動される場合、特に、図１に示される如く、一対のワイパアームが下反転位置に位置される場合でも、第一連結ロッド２４と出力軸１４との干渉を防止できる。
【００８８】
また、第一連結ロッド２４及び第二連結ロッド２８は、クランクアーム２２に対する出力軸１４の軸方向一方側（すなわち車両搭載時における上側）でクランクアーム２２と連結されており、第二連結ロッド２８は、その長手方向中間部に曲部３２を有して構成されている。従って、クランクアーム２２の正回転及び逆回転に伴って第一連結ロッド２４及び第二連結ロッド２８が往復移動される場合、特に、図１に示される如く、一対のワイパアーム３８，８２が下反転位置に位置される場合でも、クランクアーム２２の正回転及び逆回転に伴う第一連結ロッド２４及び第二連結ロッド２８の互いの干渉を防止できる。
【００８９】
しかも、この曲部３２は、出力軸１４の軸方向と直交する方向（すなわち、装置奥行き方向他方側（矢印Ｄ２側）で車両搭載時における前側）に曲がった構成とされている。従って、第一連結ロッド２４及び第二連結ロッド２８の干渉を防止するために、例えば、第一連結ロッド２４及び第二連結ロッド２８が出力軸１４の軸方向に重ねて配置された場合や、曲部３２が出力軸１４の軸方向一方側（すなわち、車両搭載時における上側）に曲がった構成とされた場合に比して、出力軸１４の軸方向についても装置全体を小型化することができる。
【００９０】
さらに、第二連結ロッド２８に曲部３２を形成することで、この曲部３２によってオフセットされた分、第一連結ロッド２４及び第二連結ロッドの往復移動方向（第一ピボット軸３６及び第二ピボット軸５８を結ぶ方向であって車両搭載時における車両幅方向）の中央部に他の部材等のための配置スペースＳを確保することができる。
【００９１】
また、４節リンク４８を構成するメインレバー５０において、連結レバー５４と回動可能に連結された第二レバー部６２は、第二連結ロッド２８と回動可能に連結された第一レバー部６０に対し出力軸１４の軸方向一方側（すなわち車両搭載時における上側）にずれて配置されている。従って、上述の如くクランクアーム２２の正回転及び逆回転に伴いメインレバー５０が往復回動された場合、特に、図２に示される如く、一対のワイパアームが上反転位置に位置される場合でも、第一レバー部６０に連結された第二連結ロッド２８と、第二レバー部６２に連結レバー５４を介して連結されたサブレバー５２との干渉を防止できる。
【００９２】
また、本発明の一実施形態に係る車両用ワイパ装置１０によれば、４節リンク４８を構成する連結レバー５４では、メインレバー５０及びサブレバー５２と連結されたレバー本体部７２から延設部７４が延設されており、この延設部７４に他方のワイパアーム８２が一体回動可能に固定されるようになっている。
【００９３】
ここで、例えば、車両仕様の変更により他方のワイパアーム８２の払拭範囲を変更する場合には、延設部７４の長さや角度等を変えるだけで良く、メインレバー５０及びサブレバー５２を変更する必要が無い（つまり、連結レバー５４を変更するだけで良い）。また、車両仕様の変更により他方のワイパアーム８２自体を変更する場合には、ワイパアーム８２自体を変更すれば良く、メインレバー５０、サブレバー５２、連結レバー５４を変更する必要が無い。これにより、構成部材の変更を必要最小限に抑えつつ、他方のワイパアーム８２の払拭範囲及びワイパアーム８２自体を車両仕様の変更に応じて容易に変更することができる。
【００９４】
また、本発明の一実施形態に係る車両用ワイパ装置１０によれば、第一フレーム部材１６は、ワイパモータ１２を支持するフレーム本体部１７と、第一ピボット軸３６を回動可能に支持する第一ピボットホルダ３４とが一体に形成された構成とされているので、部品点数を削減できるだけでなく、ワイパモータ１２の出力軸１４と第一ピボット軸３６（ドライバ側のピボット軸）とを互いに精度良く配置でき、しかも、ワイパモータ１２の搭載を容易にできる。
【００９５】
なお、図６には、本発明の一実施形態に係る車両用ワイパ装置１０と、比較例に係る車両用ワイパ装置１１０，２１０との比較が示されている。つまり、図６（Ａ）には、本発明の一実施形態に係る車両用ワイパ装置１０が模式的に示されており、図６（Ｂ）及び図６（Ｃ）には、比較例に係る車両用ワイパ装置１１０，２１０が模式的に示されている。
【００９６】
先ず、比較例について説明すると、図６（Ｂ）に示される車両用ワイパ装置１１０では、ワイパモータ１１２の出力軸１１４（この出力軸１１４は一方向に連続回転される）にクランクアーム１２２の長手方向一端側が一体回動可能に固定されており、このクランクアーム１２２の長手方向他端側には、第一連結ロッド１２４及び第二連結ロッド１２８の長手方向一端側がそれぞれ回動可能に連結されている（つまり、両振りタイプ）。
【００９７】
第一連結ロッド１２４の長手方向他端側は、第一ピボット軸１３６と一体回動可能に固定された第一ピボットレバー１４０の回動端側に回動可能に連結されており、第二連結ロッド１２８の長手方向他端側は、第二ピボット軸１５８と一体回動可能に固定された第二ピボットレバー１６０の回動端側に回動可能に連結されている。なお、第二ピボット軸１５８には、第二ピボットレバー１６０の他に、サブレバー１５２及び連結レバー１５４とで４節リンク１４８を構成するメインレバー１６２が一体回動可能に固定されている。
【００９８】
そして、図示しない一対のワイパアームの払拭方向を同じとするために、第二ピボットレバー１６０は、第一ピボット軸１３６に対し装置奥行き方向一方側（矢印Ｄ１側）に配置されたピボットレバー１４０と装置奥行き方向の逆向きに配置されている（つまり、第二ピボット軸１５８に対し装置奥行き方向他方側（矢印Ｄ２側）に配置されている）。
【００９９】
ところが、この場合、第一ピボットレバー１４０、第二ピボットレバー１６０及び４節リンク１４８を合わせた装置全体の装置奥行き方向の寸法ｄ２が大きくなる。
【０１００】
一方、図６（Ｃ）に示される車両用ワイパ装置２１０では、ワイパモータ２１２の出力軸２１４（この出力軸２１４は一方向に連続回転される）にクランクアーム２２２の長手方向一端側が一体回動可能に固定されており、このクランクアーム２２２の長手方向他端側には、第一連結ロッド２２４の長手方向一端側が回動可能に連結されている。
【０１０１】
また、第一連結ロッド２２４の長手方向他端側は、第一ピボット軸２３６と一体回動可能に固定された第一ピボットレバー２４０の回動端側に回動可能に連結されており、この第一ピボットレバー２４０の回動端側には、第二連結ロッド２２８の長手方向一端側が回動可能に連結されている。そして、この第二連結ロッド２２８の長手方向他端側は、第二ピボット軸２５８と一体回動可能に固定された第二ピボットレバー２６０の回動端側に回動可能に連結されている（つまり、折り返しタイプ）。なお、第二ピボット軸２５８には、第二ピボットレバー２６０の他に、サブレバー２５２及び連結レバー２５４とで４節リンク２４８を構成するメインレバー２６２が一体回動可能に固定されている。
【０１０２】
そして、図示しない一対のワイパアームの払拭方向を同じとするために、第二ピボットレバー２６０は、第一ピボット軸２３６に対し装置奥行き方向一方側（矢印Ｄ１側）に配置された第一ピボットレバー２４０と装置奥行き方向の逆向きに配置されている（つまり、第二ピボット軸２５８に対し装置奥行き方向他方側（矢印Ｄ２側）に配置されている）。
【０１０３】
ところが、この場合も、第一ピボットレバー２４０、第二ピボットレバー２６０及び４節リンク２４８を合わせた装置全体の装置奥行き方向の寸法ｄ３が大きくなる。
【０１０４】
これに対し、本発明の一実施形態に係る車両用ワイパ装置１０では、ピボットレバー４０と、メインレバー５０における第一レバー部６０とを装置奥行き方向の逆向きに配置させる必要が無く、これらをいずれも第一ピボット軸３６及び第二ピボット軸５８に対する装置奥行き方向一方側（矢印Ｄ１側）に配置した構成とすることができる。これにより、装置全体を装置奥行き方向に小型化することができる（ｄ１＜ｄ２，ｄ３）。
【０１０５】
以上、本発明の一実施形態について説明したが、本発明は、上記に限定されるものでなく、その主旨を逸脱しない範囲内において種々変形して実施することが可能であることは勿論である。
【０１０６】
例えば、上記実施形態では、他方のワイパアーム８２を往復回動させるために４節リンク４８が用いられ、一対のワイパアーム３８，８２の払拭方向が同一（つまり、タンデム式ワイパ）となるように構成されていたが、例えば、次のように構成されていても良い。
【０１０７】
すなわち、４節リンク４８の代わりに、図７に示されるように、ピボットレバー９０（この場合、ピボットレバー４０が本発明における第一ピボットレバーに相当し、ピボットレバー９０が本発明における第二ピボットレバーに相当する）が用いられ、一対のワイパアーム３８，８２の払拭方向が互いに異なる（つまり、対向式ワイパ）ように構成されていても良い。
【０１０８】
また、上記実施形態では、他方のワイパアーム８２と連結レバー５４とが別部材で構成され、他方のワイパアーム８２が連結レバー５４を介してメインレバー５０とサブレバー５２とに連結されていたが、例えば、次のように構成されていても良い。
【０１０９】
すなわち、他方のワイパアーム８２に連結レバー５４が一体的に構成され（つまり、ワイパアーム８２の基端側のアームヘッドが連結レバー５４を兼ねる構成）、この他方のワイパアーム８２と一体的に構成された連結レバー５４がメインレバー５０とサブレバー５２とに連結されるように構成されていても良い。
【０１１０】
また、上記実施形態では、連結レバー５４において、延設部７４は、レバー本体部７２の長手方向一端側から延設されていたが、例えば、他方のワイパアーム８２の払拭範囲等に合わせて、レバー本体部７２の長手方向中間部から延設されていても良い。
【０１１１】
また、上記実施形態では、第二連結ロッド２８のみに曲部３２が形成されていたが、例えば、第一連結ロッド２４の長手方向における連結軸２６側が第二連結ロッド２８との干渉を防止するために装置奥行き方向一方側（矢印Ｄ１側）に位置されるように第一連結ロッド２４の長手方向中間部に曲部が形成されていても良い。また、第一連結ロッド２４及び第二連結ロッド２８の両方に曲部が形成されていても良い。
【０１１２】
また、上記実施形態において、クランクアーム２２は、その長手方向中央部２２Ａに対し長手方向一端側２２Ｂが出力軸１４の軸方向一方側（すなわち車両搭載時における上側）にずれた構成とされていたが、これに加えて、その長手方向中央部２２Ａに対し長手方向他端側２２Ｃが出力軸１４の軸方向一方側（すなわち車両搭載時における上側）にずれた構成とされていても良い。
【０１１３】
また、上記実施形態において、連結軸２６は、上述のワイパモータ１２によるクランクアーム２２の往復回動範囲において、上述の第一仮想直線Ｌ１から外れた位置で往復移動されるように設定されていたが、第一仮想直線Ｌ１を横切らなければ、第一仮想直線Ｌ１上に一方の反転位置が位置されるように設定されていても良い。
【０１１４】
同様に、連結軸３０は、上述のワイパモータ１２によるクランクアーム２２の往復回動範囲において、上述の第二仮想直線Ｌ２から外れた位置で往復移動されるように設定されていたが、第二仮想直線Ｌ２を横切らなければ、第二仮想直線Ｌ２上に一方の反転位置が位置されるように設定されていても良い。
【図面の簡単な説明】
【０１１５】
【図１】本発明の一実施形態に係る車両用ワイパ装置を車両搭載時における車両前方上方から見た斜視図である。
【図２】本発明の一実施形態に係る車両用ワイパ装置を車両搭載時における車両前方上方から見た斜視図である。
【図３】本発明の一実施形態に係る車両用ワイパ装置を車両搭載時における車両後方下方から見た斜視図である。
【図４】（Ａ）は本発明の一実施形態に係る車両用ワイパ装置を模式的に示した図、（Ｂ）は（Ａ）の要部拡大図である。
【図５】（Ａ）は本発明の一実施形態に係る車両用ワイパ装置のクランクアームから第一ピボット軸側を示す図、（Ｂ）は本発明の一実施形態に係る車両用ワイパ装置のクランクアームから第二ピボット軸側を示す図である。
【図６】（Ａ）は本発明の一実施形態に係る車両用ワイパ装置を模式的に示した図、（Ｂ），（Ｃ）は比較例に係る車両用ワイパ装置を模式的に示した図である。
【図７】本発明の一実施形態に係る車両用ワイパ装置の変形例を示す図である。
【符号の説明】
【０１１６】
１０…車両用ワイパ装置、１２…ワイパモータ、１４…出力軸、１６…第一フレーム部材（フレーム部材）、１７・・・フレーム本体部、１８…固定具、２０…貫通孔、２２…クランクアーム、２２Ａ・・・長手方向中央部（出力軸との固定部）、２２Ｂ・・・長手方向一端側（一方の連結ロッドとの連結部）、２２Ｃ・・・長手方向他端側（他方の連結ロッドとの連結部）、２４…第一連結ロッド（一方の連結ロッド）、２６・・・連結軸（一方の連結ロッド及びクランクアームの連結点）、２８…第二連結ロッド（他方の連結ロッド）、３０・・・連結軸（他方の連結ロッド及びクランクアームの連結点）、３２…曲部、３４…第一ピボットホルダ（ピボットホルダ）、３６…第一ピボット軸（第一レバー手段の一部、ピボット軸）、３８…ワイパアーム（一方のワイパアーム）、４０…ピボットレバー（第一レバー手段の一部、第一ピボットレバー）、４２・・・連結軸（一方の連結ロッド及び第一レバー手段の連結点）、４４…第二フレーム部材、４６…連結フレーム、４８…４節リンク、５０…メインレバー（第二レバー手段の一部）、５２…サブレバー（第二レバー手段の一部）、５４…連結レバー（第二レバー手段の一部）、５６…第二ピボットホルダ、５８…第二ピボット軸（第二レバー手段の一部、第一回動軸）、６０…第一レバー部、６２…第二レバー部、６４…連結レバー部、６６・・・連結軸（他方の連結ロッド及び第二レバー手段の連結点）、６８…従動軸ホルダ、７０…従動軸（第二レバー手段の一部、第二回動軸）、７２…レバー本体部、７４…延設部、７６，７８・・・連結軸（第二レバー手段の一部）、８２…ワイパアーム（他方のワイパアーム）、８４，８６，８８…固定部、９０…ピボットレバー（第二レバー手段の一部、第二ピボットレバー）
【図１】
0005155750.tif 000002
【図２】
0005155750.tif 000003
【図３】
0005155750.tif 000004
【図４】
0005155750.tif 000005
【図５】
0005155750.tif 000006
【図６】
0005155750.tif 000007
【図７】
0005155750.tif 000008